(57)【要約】  振動信号の係数調整における利便性を向上させた計量装置を提供する。計量装置１は、物品Ｐを計量して計量信号を出力する計量セル５と、計量セル５が受ける外乱振動を検出して振動信号を出力するＡＦＶセル７と、ＡＦＶセル７から出力された振動信号に基づく第１の波形をタッチパネル１３に表示させるコントローラ１１と、を備える。
2015141669.tif 000002
【特許請求の範囲】
【請求項１】
物品を計量して計量信号を出力する計量部と、
前記計量部が受ける外乱振動を検出して振動信号を出力する外乱振動検出部と、を備える計量装置であって、
前記外乱振動検出部から出力された前記振動信号に基づく第１の波形を表示部に表示させる制御部を備える、計量装置。
【請求項２】
前記制御部は、前記計量信号に基づく第２の波形、及び前記計量信号を前記振動信号で補正した第３の波形の少なくとも一方を、前記表示部において前記第１の波形と重ねて表示させる、請求項１記載の計量装置。
【請求項３】
前記制御部は、前記第１の波形、前記第２の波形及び前記第３の波形を、前記表示部において重ねて表示させる、請求項２記載の計量装置。
【請求項４】
前記制御部は、前記第３の波形の振幅の指標を、前記表示部に表示させる、請求項２又は３記載の計量装置。
【請求項５】
前記制御部は、前記第２の波形と前記第１の波形及び前記第３の波形の少なくとも一方とのそれぞれの振幅の中心を示す指標を、前記表示部に表示させる、請求項２〜４のいずれか一項記載の計量装置。
【請求項６】
前記制御部は、前記第２の波形と前記第１の波形及び前記第３の波形の少なくとも一方とのそれぞれの振幅のピークを示す指標を、前記表示部に表示させる、請求項２〜５のいずれか一項記載の計量装置。
【請求項７】
前記振動信号の係数調整に係る前記第１の波形の調整を手動で行う手動調整モードと、前記振動信号の係数調整に係る前記第１の波形の調整を自動で行う自動調整モードと、を選択する選択部を備え、
前記制御部は、前記選択部において前記自動調整モードが選択された場合、前記第１の波形の調整を行い、調整後の前記第１の波形を前記表示部に表示させる、請求項１〜６のいずれか一項記載の計量装置。
【請求項８】
前記制御部は、複数の前記係数の候補と、当該係数に基づく複数の波形とを前記表示部に表示させ、前記係数を指定する入力を受け付ける、請求項７記載の計量装置。
【発明の詳細な説明】
【技術分野】
【０００１】
本発明は、計量装置に関する。
【背景技術】
【０００２】
従来の計量装置として、物品を計量して、その質量に対応した計量信号を出力する計量セルと、計量セルが設置された床の振動を検出して、振動信号を出力する床振動検出セルと、計量信号から振動信号を減算して、床振動に起因する計量信号の誤差を補償した振動補正済信号を出力する床振動補償手段と、を備えたものが知られている（例えば、特許文献１参照）。
【先行技術文献】
【特許文献】
【０００３】
【特許文献１】特開２０００−１９００９号公報
【発明の概要】
【発明が解決しようとする課題】
【０００４】
上記のような計量装置において、振動信号は、計量信号とは特性が異なるため、係数（ゲイン）が加味されている。この係数は、通常、風袋の質量等の要素から理論的に計算されて自動で振動信号に加味されているが、計量装置の使用環境や設置環境によっては、手動で設定されることがある。従来、係数を手動で設定する場合には、係数を適当に変化させた後にサンプル（物品）を計量する作業を複数回繰り返し、計量精度を確認しながら最適な係数を選択していた。このように、係数の設定は、手間が掛かると共に設定を行う作業者の技量に依存するため、慣れない作業者が行うことは容易ではなかった。【０００５】
本発明は、振動信号の係数調整における利便性を向上させた計量装置を提供することを目的とする。
【課題を解決するための手段】
【０００６】
本発明に係る計量装置は、物品を計量して計量信号を出力する計量部と、計量部が受ける外乱振動を検出して振動信号を出力する外乱振動検出部と、を備える計量装置であって、外乱振動検出部から出力された振動信号に基づく第１の波形を表示部に表示させる制御部を備える。【０００７】
この計量装置では、制御部は、外乱振動検出部から出力された振動信号に基づく第１の波形を表示部に表示させる。これにより、振動信号の係数を調整する場合には、作業者は、表示部において第１の波形を確認しながら係数を調整できる。したがって、計量装置では、係数の変化による波形の変化を視覚的に捉えることができるため、振動信号の係数調整における利便性を向上させることができる。【０００８】
一実施形態においては、制御部は、計量信号に基づく第２の波形、及び計量信号を振動信号で補正した第３の波形の少なくとも一方を、表示部において第１の波形と重ねて表示させてもよい。これにより、作業者は、表示部において第１の波形と第２の波形及び／又は第３の波形とを確認しながら係数を調整できる。したがって、計量装置では、係数の変化による波形の変化を視覚的に捉えることができるため、振動信号の係数を調整できる。特に、第３の波形を表示させた場合には、係数を変化させたことによる効果を、第３の波形によって確認できる。係数を変化させたことによる効果は、第３の波形の振幅が第２の波形の振幅に対して小さくなることにより現れる。したがって、第２の波形と第３の波形とを比較することにより、係数を変化させたことによる効果を視覚的に確認できる。【０００９】
一実施形態においては、制御部は、第１の波形、第２の波形及び第３の波形を、表示部において重ねて表示させてもよい。このように、第１の波形、第２の波形及び第３の波形を重ねて表示させることにより、係数を変化させたことによる効果を、第３の波形と第１の波形及び第２の波形とを比較することにより確認できる。【００１０】
一実施形態においては、制御部は、第３の波形の振幅の指標を、表示部に表示させてもよい。これにより、作業者は、指標に基づいて、第３の波形の振幅が所定の範囲内に収まるように係数を調整すればよい。したがって、係数の目標値を視覚的に捉えることができるため、係数信号の係数調整における利便性を向上させることができる。【００１１】
一実施形態においては、制御部は、第２の波形と第１の波形及び第３の波形の少なくとも一方とのそれぞれの振幅の中心を示す指標を、表示部に表示させてもよい。これにより、作業者は、第２の波形と第１の波形及び／又は第３の波形との振幅の中心を指標に基づいて容易に合わせることができる。第２の波形と第１の波形及び／又は第３の波形との振幅の中心を合わせることにより、係数の変化による増幅率の変化を、第２の波形と比較しながら確認することができる。したがって、係数の変化による増幅率の変化を視覚的に捉えることができるため、係数信号の係数調整における利便性を向上させることができる。【００１２】
一実施形態においては、制御部は、第２の波形と第１の波形及び第３の波形の少なくとも一方とのそれぞれの振幅のピークを示す指標を、表示部に表示させてもよい。これにより、第２の波形と第２の波形及び／又は第３の波形との振幅のピークの位置を容易に合わせることができる。したがって、第１の波形と第２の波形及び／又は第３の波形との位相（タイミング）の調整を容易に行うことができ、その結果、係数信号の係数調整における利便性を向上させることができる。【００１３】
一実施形態においては、振動信号の係数調整に係る第１の波形の調整を手動で行う手動調整モードと、振動信号の係数調整に係る第１の波形の調整を自動で行う自動調整モードと、を選択する選択部を備え、制御部は、選択部において自動調整モードが選択された場合、第１の波形の調整を行い、調整後の第１の波形を表示部に表示させてもよい。これにより、状況（使用環境、設置環境）に応じて、モード（処理方法）を選択できる。また、自動調整モードにおいては、作業者の調整に係る手間を省くことができるため、作業効率の向上が図られる。【００１４】
一実施形態においては、制御部は、複数の係数の候補と、当該係数に基づく複数の波形とを表示部に表示させ、係数を指定する入力を受け付けてもよい。これにより、作業者は、係数の違いによる効果を波形で確認しつつ、複数の波形を比較して、係数を選択して設定できる。したがって、所望する最適な係数を選択できる。
【発明の効果】
【００１５】
本発明によれば、振動信号の係数調整における利便性を向上させることができる。
【図面の簡単な説明】
【００１６】
【図１】図１は、一実施形態に係る計量装置を模式的に示す図である。
【図２】図２は、図１に示す計量装置の構成を示す図である。
【図３】図３は、タッチパネルに表示される画面の一例を示す図である。
【図４】図４は、タッチパネルに表示される画面の一例を示す図である。
【図５】図５は、タッチパネルに表示される画面の一例を示す図である。
【図６】図６は、タッチパネルに表示される画面の一例を示す図である。
【発明を実施するための形態】
【００１７】
以下、添付図面を参照して、本発明の好適な実施形態について詳細に説明する。なお、図面の説明において同一又は相当要素には同一符号を付し、重複する説明は省略する。
【００１８】
図１は、一実施形態に係る計量装置を模式的に示す図である。図２は、図１に示す計量装置の構成を示す図である。図１及び図２に示される計量装置１は、物品Ｐの質量を図１中の矢印の方向に搬送しながら計量する装置である。計量装置１は、例えば、生産ラインの最終ラインに配置される。
【００１９】
図１及び図２に示されるように、計量装置１は、コンベア３と、計量セル（計量部）５と、ＡＦＶ（Ａｎｔｉ  Ｆｌｏｏｒ  Ｖｉｂｒａｔｉｏｎ）セル（外乱振動検出部）７と、記憶部９と、コントローラ（制御部）１１と、タッチパネル（表示部）１３と、を備えている。
【００２０】
コンベア３は、第１コンベア部３ａと、第２コンベア部３ｂと、第３コンベア部３ｃと、を備えている。第１コンベア部３ａ、第２コンベア部３ｂ及び第３コンベア部３ｃは、物品Ｐの搬送方向の上流側からこの順番で配置されている。すなわち、第１コンベア部３ａ及び第３コンベア部３ｃは、第２コンベア部３ｂを挟む位置に配置されている。物品Ｐの計量は、物品Ｐが第２コンベア部３ｂ上に位置しているときに行われる。第１コンベア部３ａは、第２コンベア部３ｂに物品Ｐを搬入するコンベアである。第１コンベア部３ａには、例えば、金属検出機（図示しない）が設けられている。第３コンベア部３ｃは、第２コンベア部３ｂから物品Ｐを搬出するコンベアである。第３コンベア部３ｃには、例えば、質量が適正範囲から逸脱している物品Ｐを振り分ける振分機（図示しない）が設けられている。
【００２１】
計量セル５は、第２コンベア部３ｂに位置する物品Ｐを計量する。計量セル５は、負荷に応じた圧縮及び引張を受ける起歪体６を備えており、架台８に内装されている。起歪体６は、第２コンベア部３ｂを支持する可動剛体部６ａと、架台８に固定される固定剛体部６ｂと、を有している。計量セル５では、起歪体６に貼着された複数のストレインゲージ（図示しない）がホイートストンブリッジ回路に接続されている。計量セル５は、負荷に応じた電気的信号を上記回路から取り出し、これを計量信号として出力する。計量セル５から出力される計量信号は、アナログ信号である。そのため、計量信号は、Ａ／Ｄ変換部（図示しない）によりデジタル信号に変換される。また、計量信号は、フィルタ部（図示しない）によりフィルタリング処理が行われて、ノイズが減衰（除去）される。所定の処理が行われた計量信号は、記憶部９に出力される。
【００２２】
ＡＦＶセル７は、計量セル５を含む計量装置１の外乱振動を検出する。ＡＦＶセル７は、計量セル５の固定剛体部６ｂに設けられており、計量装置１が配置された床Ｆから計量装置１に伝わる振動やコンベア３の振動等を検出する。ＡＦＶセル７は、外乱振動を検出し、この外乱振動に対応する振動信号を出力する。ＡＦＶセル７から出力される振動信号は、アナログ信号である。そのため、振動信号は、Ａ／Ｄ変換部によりデジタル信号に変換される。また、振動信号は、フィルタ部によりフィルタリング処理が行われて、ノイズが減衰（除去）される。所定の処理が行われた振動信号は、記憶部９に出力される。
【００２３】
記憶部９は、各種信号を記憶する。記憶部９は、計量セル５から出力された計量信号、及び、ＡＦＶセル７から出力された振動信号を記憶する。また、記憶部９は、後述する振動信号の係数を記憶する。
【００２４】
コントローラ１１は、ＣＰＵ（Central Processing Unit）、ＲＡＭ（Random Access Memory）及びＲＯＭ(Read Only Memory)等を含んで構成されている。コントローラ１１は、計量セル５から出力されて記憶部９に記憶された計量信号と、ＡＦＶセル７から出力されて記憶部９に記憶された振動信号とに基づいて、物品Ｐの質量を求める。具体的には、コントローラ１１は、計量信号から振動信号を減算して、外乱振動に起因する計量信号の誤差を補正、すなわち計量信号から振動成分を除去した計量補正信号を生成する。このとき、計量信号と振動信号とは特性が異なっているため、コントローラ１１は、振動信号に所定の係数を加味し、計量信号から振動信号を除去している。係数は、初期状態（計量装置１の出荷状態）では、計量装置１の構成に応じて予め設定されている。
【００２５】
コントローラ１１は、計量補正信号に基づいて物品Ｐの質量を求め、物品Ｐの質量を示す質量情報をタッチパネル１３に出力する。コントローラ１１は、第３コンベア部３ｃに振分機が設けられている場合、物品Ｐの質量が予め設定された適正範囲から逸脱していると判断したときには、その物品Ｐを振り分ける（ラインから除外する）ように、振分機に動作信号を出力する。
【００２６】
タッチパネル１３は、第２コンベア部３ｂの背後に立設された操作部１５に設けられている。タッチパネル１３は、コントローラ１１から出力された表示情報を受け取ると、この表示情報に基づく画像を表示する。タッチパネル１３は、作業者（ユーザ）からの入力を受け付けると、入力内容を示す入力情報をコントローラ１１に出力する。
【００２７】
本実施形態の計量装置１では、振動信号の係数を作業者が手動で設定できる構成とされている。以下、作業者が係数を設定する際の計量装置１の動作について、図３〜図６を参照しながら説明する。図３〜図６は、タッチパネルに表示される画面の一例を示す図である。
【００２８】
最初に、計量装置１の電源が投入されると、コントローラ１１は、タッチパネル１３にメニュー画面を表示させる。メニュー画面には、振動信号の係数の設定を開始するための「係数設定ボタン」が表示されている。係数の設定を行う作業者は、係数設定ボタンを押下する。
【００２９】
コントローラ１１は、タッチパネル１３において係数設定ボタンが作業者によって押下されたことを確認すると、実際に計量を行う物品Ｐをコンベア３に流すことを促すテキスト（例えば、「商品をコンベアに載せてください」等）をタッチパネル１３に表示させる。これに応じて、作業者が物品Ｐを第１コンベア部３ａに載置すると、第２コンベア部３ｂにおいて計量セル５により物品Ｐの計量が行われる。計量セル５は、物品Ｐの質量に対応する計量信号を記憶部９に出力し、記憶部９は、その計量信号を記憶する。また、ＡＦＶセル７は、振動信号を記憶部９に出力し、記憶部９は、その計量信号を記憶する。
【００３０】
続いて、コントローラ１１は、図３に示されるように、タッチパネル１３に、計量セル５から出力された計量信号に基づく計量波形Ｗ１（第２の波形）を表示させる。具体的には、コントローラ１１は、記憶部９に記憶されている上記計量信号を取得し、計量信号に応じた計量波形の表示を指示する表示情報をタッチパネル１３に出力する。タッチパネル１３は、受け取った表示情報に基づいて、計量波形Ｗ１を表示する。波形を示すグラフの横軸は時間［ｍｓｅｃ］であり、縦軸は質量［ｇ］である。
【００３１】
タッチパネル１３に計量波形Ｗ１が表示されると、コントローラ１１は、タッチパネル１３に、計量波形Ｗ１において任意の位置を選択させることを促すテキスト（例えば、「計量波形において設定を行う部分を選択してください」等）を表示させる。これに応じて、作業者は、タッチパネル１３に表示された十文字状のカーソルＣを、例えば操作部１５に設けられたジョグダイアルを操作、若しくは、タッチパネル１３において計量波形Ｗ１の任意の位置をタッチして、カーソルＣを任意の位置に移動させる。作業者は、カーソルＣの位置が決定した場合、タッチパネル１３に表示されている「拡大」のボタンＢ１を押下する。
【００３２】
コントローラ１１は、「拡大」のボタンＢ１が押下されたことを確認すると、図４に示されるように、カーソルＣが示す位置の計量波形Ｗ１を例えば１０倍に拡大した位相調整画面をタッチパネル１３に表示させる。具体的には、コントローラ１１は、基準線Ｌの中心から、例えば、時間が±５０［ｍｓｅｃ］の範囲で且つ質量が±２［ｇ］の範囲の計量波形Ｗ１を拡大してタッチパネル１３に表示させる。位相調整画面には、拡大された計量波形Ｗ１と、ＡＦＶ波形（第１の波形）Ｗ２と、が重ねて表示される。具体的には、コントローラ１１は、記憶部９に記憶されている上記振動信号を取得し、振動信号に応じたＡＦＶ波形の表示を指示する振動波形情報をタッチパネル１３に出力する。タッチパネル１３は、受け取った振動波形情報に基づいて、ＡＦＶ波形Ｗ２を計量波形Ｗ１に重ねて表示する。
【００３３】
また、コントローラ１１は、タッチパネル１３に、位相基準線（指標）Ｌ１及び位相基準線Ｌ２を、計量波形Ｗ１及びＡＦＶ波形Ｗ２のそれぞれに重ねて表示させる。位相基準線Ｌ１は、計量波形Ｗ１の振幅のピークＰ１を示す指標であり、図４においては、時間ＴＭに位置している。位相基準線Ｌ２は、ＡＦＶ波形Ｗ２の振幅のピークＰ２を示す指標であり、図４においては、時間ＴＡに位置している。作業者は、位相基準線Ｌ１及び位相基準線Ｌ２に基づいて、計量波形Ｗ１とＡＦＶ波形Ｗ２との位相を調整する。
【００３４】
具体的には、作業者は、位相基準線Ｌ１と位相基準線Ｌ２との時間差（｜ＴＭ−ＴＡ｜＝ΔＴ）が０．１ｍｓｅｃ以下（ΔＴ≦０．１ｍｓｅｃ）となるように、ΔＴの値をディスプレイＤで確認しながら調整ボタンＢ２，Ｂ３を操作して、ＡＦＶ波形Ｗ２を横軸（時間軸）沿って移動させる。なお、位相基準線Ｌ１と位相基準線Ｌ２との時間差（｜ＴＭ−ＴＡ｜＝ΔＴ）が最初から０．１ｍｓｅｃ以下である場合には、調整を行わなくてもよい。作業者は、位相の調整が終了すると、「設定」ボタンＢ４を押下する。
【００３５】
コントローラ１１は、「設定」ボタンＢ４が押下されたことを確認すると、図５に示されるように、振幅中心調整画面をタッチパネル１３に表示させる。振幅中心調整画面には、振幅中心線（指標）Ｌ３及び振幅中心線Ｌ４が、計量波形Ｗ１及びＡＦＶ波形Ｗ２のそれぞれに重ねて表示される。振幅中心線Ｌ３は、計量波形Ｗ１の振幅の中心を示す指標である。振幅中心線Ｌ４は、ＡＦＶ波形Ｗ２の振幅の中心を示す指標である。作業者は、振幅中心線Ｌ３及び振幅中心線Ｌ４に基づいて、計量波形Ｗ１とＡＦＶ波形Ｗ２との振幅の中心を合わせる調整を行う。具体的には、作業者は、振幅中心線Ｌ３と振幅中心線Ｌ４との差が０．０５ｇ以下となるように、ディスプレイＤで値を確認しながら調整ボタンＢ２，Ｂ３を操作して、ＡＦＶ波形Ｗ２を縦軸に沿って移動させる。なお、振幅中心線Ｌ３と振幅中心線Ｌ４との差が最初から０．０５ｇ以下である場合には、調整を行わなくてもよい。作業者は、振幅中心の調整が終了すると、「設定」ボタンＢ４を押下する。
【００３６】
また、作業者は、計量波形Ｗ１の振幅のピークトゥピークＰＭ−ＰＭと、ＡＦＶ波形Ｗ２の振幅のピークトゥピークＰＡ−ＰＡとの差が０．０５ｇ以下となるように、ＡＦＶ波形Ｗ２のゲイン（増幅率）を調整する。コントローラ１１は、振幅中心の調整後に「設定」ボタンＢ４が押下されたことを確認すると、ディスプレイＤに、計量波形Ｗ１の振幅のピークトゥピークＰＭ−ＰＭとＡＦＶ波形Ｗ２の振幅のピークトゥピークＰＡ−ＰＡとの差の値を表示させる。作業者は、ディスプレイＤの値を確認しながら、計量波形Ｗ１の振幅のピークトゥピークＰＭ−ＰＭとＡＦＶ波形Ｗ２の振幅のピークトゥピークＰＡ−ＰＡとの差が０．０５ｇ以下となるように、調整ボタンＢ２，Ｂ３を操作する。なお、計量波形Ｗ１の振幅のピークトゥピークＰＭ−ＰＭとＡＦＶ波形Ｗ２の振幅のピークトゥピークＰＡ−ＰＡとの差が最初から０．０５ｇ以下である場合には、調整を行わなくてもよい。作業者は、増幅率の調整が終了すると、「設定」ボタンＢ４を押下する。
【００３７】
コントローラ１１は、「設定」ボタンＢ４が押下されたことを確認すると、図６に示されるように、係数設定画面をタッチパネル１３に表示させる。係数設定画面には、計量波形Ｗ１、ＡＦＶ波形Ｗ２及び補正波形Ｗ３（第３の波形）が表示される。補正波形Ｗ３は、計量信号から係数が加味された振動信号を減算して得られた計量補正信号に基づく波形である。このときの係数は、予め設定されて記憶部９に記憶されている係数が用いられる。
【００３８】
ＡＦＶ波形Ｗ２及び補正波形Ｗ３は、タッチパネル１３の「ＡＦＶ波形」ボタンＢ５、「補正波形」ボタンＢ６により、表示・非表示を切り替え可能とされている。図６では、「ＡＦＶ波形」ボタンＢ５及び「補正波形」ボタンＢ６が押下された状態であり、ＡＦＶ波形Ｗ２及び補正波形Ｗ３の両方が表示されている。補正波形Ｗ３は、振動信号の係数の変更に伴い、振幅が変化する。補正波形Ｗ３の振幅が小さいことは、計量信号において振動成分が減衰していることを示している。すなわち、補正波形Ｗ３の振幅を小さくすることにより、高精度の計量が実現できる。
【００３９】
コントローラ１１は、タッチパネル１３に、振幅上限線Ｌ５及び振幅下限線Ｌ６を、計量波形Ｗ１、ＡＦＶ波形Ｗ２及び補正波形Ｗ３に重ねて表示させる。振幅上限線Ｌ５は、補正波形Ｗ３の振幅の理想的な上限を示す指標である。振幅下限線Ｌ６は、補正波形Ｗ３の振幅の理想的な下限を示す指標である。すなわち、振幅上限線Ｌ５及び振幅下限線Ｌ６は、補正波形Ｗ３の振幅が収まるべき理想的な範囲を示す指標である。補正波形Ｗ３の振幅を振幅上限線Ｌ５及び振幅下限線Ｌ６内に収めることにより、振動の影響の少ない計量結果が得られる。振幅上限線Ｌ５及び振幅下限線Ｌ６は、所望する計量精度等に応じて適宜設定されればよい。
【００４０】
作業者は、補正波形Ｗ３を確認しながら調整ボタンＢ２，Ｂ３を操作し、振幅上限線Ｌ５及び振幅下限線Ｌ６に基づいて係数を調整する。図６に示されるように、補正波形Ｗ３は、係数が変更されると、例えば破線で示す波形から実線で示す補正波形Ｗ３に振幅が変化する。ディスプレイＤには、係数の値が表示される。作業者は、係数の調整が終了すると、「設定」ボタンＢ４を押下する。コントローラ１１は、「設定」ボタンＢ４が押下されると、設定された係数を記憶部９に記憶させる。以上により、振動信号の係数が設定される。コントローラ１１は、物品Ｐの計量の際には、記憶部９に記憶された係数を用いる。
【００４１】
以上説明したように、本実施形態に係る計量装置１では、コントローラ１１は、振動信号の係数の設定において、計量波形Ｗ１、ＡＦＶ波形Ｗ２及び補正波形Ｗ３をタッチパネル１３に表示させる。これにより、作業者は、タッチパネル１３において計量波形Ｗ１と補正波形Ｗ３とを確認しながら係数を調整できる。係数を変化させたことによる効果は、補正波形Ｗ３の振幅が計量波形Ｗ１の振幅に対して小さくなることにより現れる。したがって、作業者は、第１の波形と第３の波形とを比較することにより、係数を変化させたことによる効果を視覚的に確認することができる。その結果、計量装置１では、振動信号の係数調整における利便性を向上させることができる。
【００４２】
本実施形態のコントローラ１１は、補正波形Ｗ３の振幅が収まるべき上限及び下限を示す振幅上限線Ｌ５及び振幅下限線Ｌ６を、補正波形Ｗ３に重ねてタッチパネル１３に表示させる。これにより、作業者は、振幅上限線Ｌ５及び振幅下限線Ｌ６の範囲内に補正波形Ｗ３の振幅が収まるように係数を調整すればよい。したがって、作業者は、係数の目標値を視覚的に捉えることができる。その結果、計量装置１では、振動信号の係数調整における利便性を向上させることができる。
【００４３】
本実施形態のコントローラ１１は、計量波形Ｗ１とＡＦＶ波形Ｗ２とのそれぞれの振幅の中心を示す振幅中心線Ｌ３，Ｌ４を、計量波形Ｗ１及びＡＦＶ波形Ｗ２に重ねてタッチパネル１３に表示させる。これにより、作業者は、計量波形Ｗ１とＡＦＶ波形Ｗ２との振幅の中心を振幅中心線Ｌ３，Ｌ４に基づいて容易に合わせることができる。作業者は、計量波形Ｗ１とＡＦＶ波形Ｗ２との振幅の中心を合わせることにより、係数の変化による増幅率の変化を、計量波形Ｗ１と補正波形Ｗ３とを比較しながら確認することができる。したがって、作業者は、係数の変化による増幅率の変化を視覚的に捉えることができる。その結果、計量装置１では、振動信号の係数調整における利便性を向上させることができる。
【００４４】
本実施形態のコントローラ１１は、計量波形Ｗ１とＡＦＶ波形Ｗ２とのそれぞれの振幅のピークを示す位相基準線Ｌ１，Ｌ２を、計量波形Ｗ１及びＡＦＶ波形Ｗ２に重ねてタッチパネル１３に表示させる。これにより、作業者は、計量波形Ｗ１とＡＦＶ波形Ｗ２との振幅のピークの位置を容易に合わせることができる。したがって、作業者は、計量波形Ｗ１とＡＦＶ波形Ｗ２との位相（タイミング）の調整を容易に行うことができる。その結果、計量装置１では、振動信号の係数調整における利便性を向上させることができる。
【００４５】
本発明は、上記実施形態に限定されない。例えば、上記実施形態では、振動信号の係数の設定において、実際に物品Ｐを計量したときの計量信号に基づく計量波形Ｗ１により係数の設定を行っているが、物品Ｐを流さないときの計量信号に基づく計量波形により係数の設定を行ってもよい。また、係数の設定前に既に計量が行われて記憶部９に記憶されている物品Ｐの計量信号を用いてもよい。
【００４６】
上記実施形態では、係数の設定において、計量波形Ｗ１、ＡＦＶ波形Ｗ２及び補正波形Ｗ３を重ねてタッチパネル１３に表示させる形態を一例に説明したが、係数の設定においては、振動信号に基づく波形のみを表示してもよい。振動信号に基づく波形とは、所定の係数が加味された振動信号に基づいて計量波形Ｗ１が補正された補正波形Ｗ３である。計量波形Ｗ１を表示しない場合であっても、係数の変化による補正波形Ｗ３の変化を視覚的に捉えることができ、係数の変化による効果を確認できるため、係数信号の係数調整における利便性を向上させることができる。
【００４７】
上記実施形態では、位相の調整、振幅の中心の調整、及び増幅率の調整を計量波形Ｗ１とＡＦＶ波形Ｗ２とにより行う形態を一例に説明したが、各種調整は、計量波形Ｗ１と補正波形Ｗ３とによって行ってもよい。
【００４８】
上記実施形態では、計量波形Ｗ１とＡＦＶ波形Ｗ２との位相の調整、振幅の中心の調整、及び増幅率の調整（振動信号の係数調整に係る第１の波形の調整）を作業者が行う形態を一例に説明したが、位相の調整、振幅の中心の調整、及び増幅率の調整はコントローラ１１が行ってもよい。この場合、各種の調整を手動で行う手動調整モードと、各種の調整をコントローラ１１が自動で行う自動調整モードとを選択できる形態であってもよい。すなわち、手動調整モードと、自動調整モードとを選択できる選択部を備えていてもよい。選択部は、タッチパネル１３の画面に表示されるボタンであってもよいし、機械的に設けられるボタン（スイッチ）等であってもよい。
【００４９】
手動調整モード及び自動調整モードを有する場合のコントローラ１１の動作について説明する。計量装置１の電源が投入されると、コントローラ１１は、タッチパネル１３にメニュー画面を表示させる。メニュー画面には、手動調整モードを選択するための「手動調整モードボタン」と、自動調整モードを選択するための「自動調整モードボタン」とが表示されている。コントローラ１１は、「手動調整モードボタン」が作業者によって押下されると、振動信号の係数の設定を開始するための「係数設定ボタン」を表示させる。手動調整モードにおける一連の動作は、上述の通りである。
【００５０】
一方、コントローラ１１は、「自動調整モードボタン」が作業者によって押下されると、計量波形Ｗ１とＡＦＶ波形Ｗ２との位相の調整、振幅の中心の調整、及び増幅率の調整を行う。コントローラ１１は、各種調整を行うと、図６に示されるように、係数設定画面をタッチパネル１３に表示させる。作業者は、係数設定画面において、計量信号の係数を設定する。以上のように、手動調整モードと自動調整モードとを選択できる構成とすることにより、状況（使用環境、設置環境）に応じて、係数の設定方法を変更できる。自動調整モードでは、計量波形Ｗ１とＡＦＶ波形Ｗ２との位相の調整、振幅の中心の調整、及び増幅率の調整を作業者が行う手間が省かれるため、作業効率の向上が図られる。
【００５１】
また、コントローラ１１は、自動調整モードにおいて、係数の設定を行ってもよい。具体的には、コントローラ１１は、自動調整モードが選択されると、計量波形Ｗ１とＡＦＶ波形Ｗ２との各種調整を行い、更に、複数の係数の値の候補と、その係数に基づく複数の補正波形（波形）Ｗ３とをタッチパネル１３の係数設定画面（例えば、図６に示す画面）に表示させ、係数を指定する入力を受け付ける。係数の値は、補正波形Ｗ３の振幅が理想的な上限及び下限の範囲内（振幅上限線Ｌ５及び振幅下限線Ｌ６の範囲内）となるように、標準偏差に基づいて、コントローラ１１によって自動で複数設定される。自動で設定される係数の数は、任意に設定することができる。
【００５２】
コントローラ１１は、例えば、複数の係数の値のそれぞれを色分けして表示させ、複数の補正波形Ｗ３のそれぞれを、係数の表示の色に合わせて表示させる。例えば、３つの係数の候補を表示する場合、コントローラ１１は、係数の値のそれぞれを「赤」、「青」、「緑」によって表示させ、係数に対応する補正波形Ｗ３のそれぞれを、「赤」、「青」、「緑」で表示させる。これにより、係数と補正波形Ｗ３との対応関係を作業者が一目で認識することが可能となる。なお、係数と補正波形Ｗ３との対応関係を認識させるための表示は、他の方法（補正波形Ｗ３を線種を区別する等）であってもよい。
【００５３】
係数の値のそれぞれは、例えばタッチパネル１３においてボタンに表示されており、コントローラ１１は、作業者によって任意の係数のボタンが押下されると、押下されたボタンに対応する係数を設定する。コントローラ１１は、係数の値が表示されたボタンが押下されると、例えば、最終確認のポップアップ（例えば、「係数を設定してもよろしいですか？」等のテキスト）を表示させる。コントローラ１１は、ポップアップに表示された例えば「ＯＫ」のボタンが作業者によって押下されると、設定された係数を記憶部９に記憶させる。以上により、振動信号の係数が設定される。このように、コントローラ１１により係数の候補が設定され、係数の候補に対応する補正波形Ｗ３を表示させることにより、作業者は、係数の違いによる効果を補正波形Ｗ３で確認しつつ、係数を選択して設定することができる。したがって、作業者が係数の調整を行う手間を省くことができ、利便性の向上を図ることができる。
【００５４】
なお、コントローラ１１により設定された係数の候補を作業者が選択した後に、作業者が、係数の微調整を行える構成であってもよい。具体的には、コントローラ１１は、係数の候補が選択されると、選択された候補対応する補正波形Ｗ３のみを表示させる。作業者は、補正波形Ｗ３を確認しながら調整ボタンを操作し、振幅上限線及び振幅下限線に基づいて係数を微調整する。
【００５５】
上記実施形態では、操作表示部としてタッチパネル１３を一例に説明したが、操作表示部はこれに限定されない。表示部としてディスプレイを使用し、操作部としてキーボード等を使用してもよい。
【００５６】
上記実施形態では、コンベア３を備え、物品Ｐを搬送しながら計量する計量装置１を一例に説明したが、計量装置の形態はこれに限定されない。本発明は、組み合せ計量装置等にも適用可能である。
【符号の説明】
【００５７】
１…計量装置、５…計量セル（計量部）、７…ＡＦＶセル（外乱振動検出部）、１１…コントローラ（制御部）、Ｗ１…計量波形（第２の波形）、Ｗ２…ＡＦＶ波形（第１の波形）、Ｗ３…補正波形（第３の波形）。
【図１】
2015141669.tif 000003
【図２】
2015141669.tif 000004
【図３】
2015141669.tif 000005
【図４】
2015141669.tif 000006
【図５】
2015141669.tif 000007
【図６】
2015141669.tif 000008
【国際調査報告】
2015141669.tif 000009
2015141669.tif 000010